(57)【特許請求の範囲】
【請求項１】
レンズを含む透明部材を有するカメラと、
前記カメラを収納する筐体と、
を備え、
前記筐体に収納された光源をさらに備え、
前記筐体は、
前記カメラの前方に位置し、前記透明部材を前方に突出させる開口を有する前壁と、
それぞれの最前端が前記透明部材よりも前方に位置するように前記前壁の前面から前方に突出し、前記レンズの光軸に交差する所定方向において互いに対向するように前記開口の両側に位置する一対の突出部と、
を有し、
前記一対の突出部の一方は、内部空間が前記筐体の内部に繋がった中空突出部であり、
前記中空突出部は、前記光源からの光を通す窓を有する、
インターホン子機。
【請求項２】
レンズを含む透明部材を有するカメラと、
前記カメラを収納する筐体と、
を備え、
前記筐体内に収納され、前記筐体の外部の電気回路との接続に使用されるコネクタをさらに備え、
前記筐体は、
前記カメラの前方に位置し、前記透明部材を前方に突出させる開口を有する前壁と、
それぞれの最前端が前記透明部材よりも前方に位置するように前記前壁の前面から前方に突出し、前記レンズの光軸に交差する所定方向において互いに対向するように前記開口の両側に位置する一対の突出部と、
を有し、
前記一対の突出部の一方は、内部空間が前記筐体の内部に繋がった中空突出部であり、
前記中空突出部は、前記コネクタを露出させる接続孔をさらに有する、
インターホン子機。
【請求項３】
前記筐体は、前記接続孔を覆う蓋をさらに備える、
請求項２のインターホン子機。
【請求項４】
前記蓋は、前記接続孔を覆う閉位置と前記接続孔を覆わない開位置との間で移動可能である、
請求項３のインターホン子機。
【請求項５】
前記蓋は、取り外し可能である、
請求項３のインターホン子機。
【請求項６】
前記筐体に収納された光源をさらに備え、
前記中空突出部は、前記光源からの光を通す窓を有する、
請求項２〜５のいずれか一つのインターホン子機。
【請求項７】
前記光源は、前記カメラと前記コネクタとの間に位置する、
請求項６のインターホン子機。
【請求項８】
前記一対の突出部は、不透明である、
請求項１〜７のいずれか一つのインターホン子機。
【請求項９】
前記一対の突出部の各々は、前面が凸面状であり、前記最前端が、前記所定方向において前記透明部材の中心と一直線上に位置する、
請求項１〜８のいずれか一つのインターホン子機。
【請求項１０】
前記一対の突出部の各々は、前記所定方向に直交する面内において前記透明部材を隠す形状を有している、
請求項１〜９のいずれか一つのインターホン子機。
【請求項１１】
請求項１〜１０のいずれか一つのインターホン子機と、
前記インターホン子機と通信するインターホン親機と、
を備える、
インターホンシステム。
【発明の詳細な説明】
【技術分野】
【０００１】
本発明は、インターホン子機及びインターホンシステムに関する。
【背景技術】
【０００２】
特許文献１は、インターホン子機の一種である、カメラ付きドアホン子器を開示する。特許文献１のドアホン子器は、撮像素子及び集光レンズ部と、撮像素子及び集光レンズ部を前方に臨ませる窓孔を有し撮像素子及び集光レンズ部が収納された筐体と、窓孔を閉塞する形で筐体に取り付けられた透光カバーとを備えている。
【先行技術文献】
【特許文献】
【０００３】
【特許文献１】特開２００８−２４４６２６号公報
【発明の概要】
【発明が解決しようとする課題】
【０００４】
特許文献１では、レンズを含む透明部材（集光レンズ部及び透光カバー）が筐体の前面から前方に突出している。この場合、筐体をその前面を下にして地面や床等に置いてしまうと、透明部材が地面や床等にあたって損傷する可能性があった。また、筐体の外部の光源（例えば、太陽、筐体の近傍の照明）からの光（外光）が透明部材に入射する可能性が高くなる。その結果、フレアやゴースト等の透明部材（特にレンズ）での反射に起因する悪影響が起こる可能性があった。
【０００５】
本発明の目的は、透明部材の損傷及び透明部材での反射に起因する悪影響を抑制できるインターホン子機及びインターホンシステムを提供することである。
【課題を解決するための手段】
【０００６】
本発明の一態様に係るインターホン子機は、レンズを含む透明部材を有するカメラと、前記カメラを収納する筐体と、を備える。前記筐体は、前壁と、一対の突出部と、を有する。前壁は、前記カメラの前方に位置し、前記透明部材を前方に突出させる開口を有する。前記一対の突出部は、それぞれの最前端が前記透明部材よりも前方に位置するように前記前壁の前面から前方に突出し、前記レンズの光軸に交差する所定方向において互いに対向するように前記開口の両側に位置する。
【発明の効果】
【０００７】
本発明の一態様のインターホン子機は、透明部材の損傷及び透明部材での反射に起因する悪影響を抑制できる。
【図面の簡単な説明】
【０００８】
【図１】図１Ａは、本発明の実施形態１に係るインターホン子機の垂直断面図であり、図１Ｂは、同上のインターホン子機の水平断面図である。
【図２】図２は、同上のインターホン子機の斜視図である。
【図３】図３Ａは、本発明の実施形態２に係るインターホン子機の垂直断面図であり、図３Ｂは、同上のインターホン子機の水平断面図である。
【図４】図４は、同上のインターホン子機の斜視図である。
【発明を実施するための形態】
【０００９】
本発明の実施形態は、インターホン子機に関し、特にカメラ付きインターホン子機に関する。インターホン子機は、インターホン親機とともに、インターホンシステムを構成する。インターホン子機は、例えば、住宅や集合住宅の住戸などの室外（例えば、玄関等）に設置され、インターホン親機は、住宅や集合住宅の住戸などの室内に設置される。インターホン子機とインターホン親機とは例えば伝送線により互いに接続され、インターホン子機とインターホン親機との間の通話や、インターホン子機のカメラによる室外の状況の視認が行える。
【００１０】
（実施形態１）
図１Ａ、図１Ｂ、及び図２は、実施形態１のインターホン子機１００を示す。インターホン子機１００は、カメラ１０と、カメラ１０を収納する筐体２０と、を備える。さらに、インターホン子機１００は、光源３０と、コネクタ４０と、機能ブロック５０と、基板６０と、を備える。光源３０と、コネクタ４０と、機能ブロック５０とは、基板６０に実装され、基板６０と共に、筐体２０に収納される。
【００１１】
カメラ１０は、図１Ａ及び図１Ｂに示されるように、本体１１と、透明部材１２と、を備える。本体１１は、例えば、撮像素子（例えば、ＣＣＤイメージセンサやＣＭＯＳイメージセンサ）を備え、映像信号を出力する。透明部材１２は、レンズを含み、本体１１の前方に配置される。透明部材１２は、カメラ１０において最も前方にあり、カメラ１０の視野Ｖ１を決定する。本実施形態では、透明部材１２は、単一の部品で構成されており、例えば、レンズそのものである。透明部材１２は、例えば、平凸球面レンズであり、凸球面を前方に向けて配置されている。また、カメラ１０は、透明部材１２のレンズの光軸Ｐ１が筐体２０の前後方向に平行するように、筐体２０に収納される。
【００１２】
光源３０は、例えば、夜間や暗所における光量不足を補うために設けられている。光源３０は、例えば、カメラ１０の視野Ｖ１に光を放射する。光源３０は、例えば、白色発光ダイオードである。
【００１３】
コネクタ４０は、例えば、外部装置（つまり、筐体２０の外部の電気回路）との接続に使用される。外部装置は、例えば、インターホンシステム又はインターホンシステムに接続された別のシステム又は装置（例えば、火災感知器）の点検（遠隔点検）及び／又は試験（遠隔試験）用の端末（例えば、携帯端末）である。コネクタ４０は、例えば、外部装置との接続のためのケーブルのプラグに対応するソケットを、前面に有する。
【００１４】
機能ブロック５０は、インターホン子機１００に必要な動作を行うための電気回路である。機能ブロック５０は、例えば、伝送線によりインターホン親機に接続される。機能ブロック５０は、例えば、伝送線を通じてインターホン親機から伝送線を通じてインターホン子機１００の動作に必要な電力を受け取る。機能ブロック５０は、例えば、インターホン親機の呼び出しのための操作釦と、インターホン親機との間で通話を行うための通話回路（スピーカ及びマイクロホン）と、伝送線によりインターホン親機と通信する通信回路と、制御回路と、を備える。制御回路は、例えば、マイクロコンピュータなどである。制御回路は、例えば、操作釦が押されると通信回路を通じてインターホン親機に呼出信号を送信する機能を有する。また、制御回路は、通話回路及び通信回路によりインターホン親機との通話を実現する機能を有する。また、制御回路は、カメラ１０及び光源３０を制御して映像信号を通信回路によりインターホン親機に送信する機能を有する。これらの制御回路の機能は、インターホン子機の周知の機能であるから、説明を省略する。また、制御回路は、通信回路により、コネクタ４０に接続された外部装置とインターホン親機との間の通信を可能にする機能を有する。
【００１５】
基板６０は、カメラ１０と、光源３０と、コネクタ４０と、機能ブロック５０と、を電気的に接続するための電気回路を備える。基板６０は、例えば、プリント配線板である。カメラ１０と、光源３０と、コネクタ４０と、機能ブロック５０とは、基板６０の前面に実装されており、基板６０の長さ方向の一端（図１Ａにおける上端）から他端（図１Ｂにおける下端）に向かって、この順に並んでいる。
【００１６】
筐体２０は、図１Ａ、図１Ｂ，及び図２に示されるように、前壁２１と、側壁２２と、後壁２３と、を有し、筐体２０の内部（内部空間）Ｓ１が、カメラ１０と、光源３０と、コネクタ４０と、機能ブロック５０と、基板６０と、を収納するスペースとなる。前壁２１及び後壁２３は矩形の板状であり、側壁２２は矩形の枠状である。つまり、筐体２０は、矩形の箱状であり、長さ（図１Ａにおける上下方向の寸法）と、幅（図１Ｂにおける上下方向の寸法）と、前後方向の寸法である厚み（図１Ａ及び図１Ｂにおける左右方向の寸法）と、を有する。筐体２０は、その長さ方向の第１端（図１Ａにおける上端）を上に、その長さ方向の第２端（図１Ｂにおける下端）を下に、それぞれ向けた状態（設置状態）で、玄関等に設置される。
【００１７】
前壁２１と側壁２２とは一体に形成されている。後壁２３は、前壁２１及び側壁２２とは別体に形成されている。例えば、前壁２１と、側壁２２と、後壁２３とは、不透明である。側壁２２と後壁２３との少なくとも一方には、伝送線等の接続線を通すための孔が形成される。
【００１８】
前壁２１は、図１Ａ及び図１Ｂに示されるように、カメラ１０、光源３０、コネクタ４０、機能ブロック５０、及び基板６０の前方に位置する。前壁２１は、開口２１１と、窓２１２と、接続孔２１３と、音孔２１４（図２参照）と、釦孔２１５と、を有する。開口２１１と、窓２１２と、接続孔２１３と、音孔２１４と、釦孔２１５とは、前壁２１の長さ方向（筐体２０の長さ方向に等しい）の第１端（図１Ａにおける上端）から第２端（図１Ｂにおける下端）に向かって、この順に並んでいる。したがって、設置状態では、接続孔２１３は、カメラ１０より下方に位置する。そのため、例えば、外部装置との接続のためのケーブルのプラグをコネクタ４０に接続する際に、プラグが透明部材１２の前方を通過する必要がない。そのため、プラグで透明部材１２を傷つける可能性を低減できる。
【００１９】
開口２１１は、透明部材１２を前方に突出させる。開口２１１は、透明部材１２を前方に突出させることが可能な形状であり、例えば、円形状である。窓２１２は、光源３０からの光を通す孔である。窓２１２は、光源３０からの光を通すことが可能な形状であり、例えば、矩形状である。窓２１２は、筐体２０の長さ方向における寸法よりも、筐体２０の幅方向における寸法のほうが大きい。接続孔２１３は、コネクタ４０を露出させる孔である。つまり、接続孔２１３は、コネクタ４０への外部装置の接続が可能となるように、コネクタ４０を露出させる。接続孔２１３は、例えば、矩形状である。音孔２１４は、機能ブロック５０からの音声の入力及び機能ブロック５０への音声の入力を容易にするために形成されている。図２に示されるように、例えば、音孔２１４は、複数の細長い孔を有している。釦孔２１５は、機能ブロック５０の操作釦の操作を可能にするための孔である。釦孔２１５は、例えば、矩形状である。
【００２０】
筐体２０は、さらに、図１Ａ、図１Ｂ、及び図２に示されるように、一対の突出部である第１突出部２４及び第２突出部２５を有する。
【００２１】
第１突出部２４及び第２突出部２５は、透明部材１２のレンズの光軸Ｐ１に交差する所定方向において互いに対向するように開口２１１の両側に位置する。言い換えれば、開口２１１は、所定方向において、第１突出部２４と第２突出部２５との間に位置する。所定方向は、設置状態において鉛直方向に平行する方向である。本実施形態では、所定方向は、筐体２０の長さ方向である。第１突出部２４は第２突出部２５よりも筐体２０の長さ方向の一端側にある。つまり、設置状態では、第１突出部２４は開口２１１（透明部材１２）の上にあり、第２突出部２５は開口２１１（透明部材１２）の下にある。また、第２突出部２５は、開口２１１と窓２１２との間に位置する。さらに、第１突出部２４及び第２突出部２５は、それぞれの最前端ｆ１，ｆ２が所定方向において透明部材１２の中心Ｃ１（図１Ｂ参照）と一直線上に位置している。ただし、第１突出部２４及び第２突出部２５は、カメラ１０の視野Ｖ１の外に位置している。
【００２２】
第１突出部２４及び第２突出部２５は、それぞれの最前端ｆ１，ｆ２が透明部材１２よりも前方に位置するように前壁２１の前面２１０から前方に突出する。第１突出部２４と第２突出部２５は同じ形状であり、以下、第２突出部２５の形状について説明する。第２突出部２５は、図１Ｂに示されるように、前面が凸面状（より詳細には凸曲面状）である。つまり、第２突出部２５は、前壁２１の幅方向における両端から中央に向かうにつれて、前壁２１の前面２１０から前方により突出する。ここで、第２突出部２５は、前面がどの部位においても、透明部材１２よりも前方に位置している。つまり、第２突出部２５は、所定方向に直交する面内において透明部材１２を隠す形状を有している。また、第２突出部２５は、前壁２１の長さ方向における寸法が前壁２１の幅方向における寸法よりも短い。
【００２３】
第１突出部２４及び第２突出部２５は、前壁２１と一体に形成されている。第１突出部２４及び第２突出部２５も前壁２１と同様に不透明である。
【００２４】
筐体２０は、さらに、カバー２６と、蓋２７と、釦２８と、を有する。カバー２６は、窓２１２を覆うように窓２１２内に配置される。カバー２６は、光源３０からの光を通す性質を有している。したがって、光源３０からの光は、カバー２６を通して筐体２０の外部へ放射される。カバー２６は、平板状であり、その前面が、前壁２１の前面２１０と面一となる。蓋２７は、接続孔２１３を覆うように前壁２１に取り付けられる。蓋２７は、平板状であり、その前面が、前壁２１の前面２１０と面一となる。蓋２７は、例えば、不透明であり、コネクタ４０を隠す。また、蓋２７は、取り外し可能である。つまり、蓋２７は、取り外し可能に前壁２１に取り付けられている。したがって、外部装置をコネクタ４０に接続する際には、蓋２７が前壁２１から取り外される。釦２８は、釦孔２１５内において筐体２０の厚み方向に移動可能に前壁２１に取り付けられる。この釦２８により、機能ブロック５０の操作釦の操作が可能になる。
【００２５】
以上説明したインターホン子機１００は、レンズを含む透明部材１２を有するカメラ１０と、カメラ１０を収納する筐体２０と、を備える。筐体２０は、前壁２１と、一対の突出部２４，２５と、を有する。前壁２１は、カメラ１０の前方に位置し、透明部材１２を前方に突出させる開口２１１を有する。一対の突出部２４，２５は、それぞれの最前端ｆ１，ｆ２が透明部材１２よりも前方に位置するように前壁２１の前面２１０から前方に突出する。また、一対の突出部２４，２５は、レンズの光軸Ｐ１に交差する所定方向において互いに対向するように開口２１１の両側に位置する。このように、インターホン子機１００では、一対の突出部２４，２５のそれぞれの最前端ｆ１，ｆ２が透明部材１２よりも前方に位置する。そのため、前壁２１を下にして筐体２０を地面や床等に置いても、一対の突出部２４，２５の少なくとも一方が透明部材１２よりも先に地面や床等にあたる可能性が高い。したがって、透明部材１２の損傷の可能性を低減できる。また、一対の突出部２４，２５は、レンズの光軸Ｐ１に交差する所定方向において互いに対向するように開口２１１の両側に位置する。そのため、一対の突出部２４，２５が、筐体２０の外部の光源（例えば、太陽、インターホン子機１００の近傍の照明）からの光（外光）を遮る可能性が高く、外光が透明部材１２に入射する可能性を低減できる。したがって、透明部材１２での反射に起因する悪影響（例えば、フレア、ゴースト）を低減できる。したがって、インターホン子機１００は、透明部材（１２）の損傷の可能性及び透明部材（１２）での反射に起因する悪影響を低減できる。
【００２６】
また、インターホン子機１００では、一対の突出部２４，２５；２５Ａは、カメラ１０の視野Ｖ１の外に位置する。したがって、一対の突出部２４，２５がカメラ１０の映像に写り込むことを抑制できる。
【００２７】
また、インターホン子機１００は、筐体２０に収納された光源３０をさらに備える。前壁２１は、光源３０からの光を通す窓２１２をさらに有する。一対の突出部２４，２５の一方は、開口２１１と窓２１２との間に位置する。したがって、光源３０からの光が透明部材１２に入射することを抑制できる。
【００２８】
また、インターホン子機１００では、筐体２０は、接続孔２１３を覆う蓋２７をさらに備える。したがって、コネクタ４０を保護できる。
【００２９】
また、インターホン子機１００では、蓋２７は、取り外し可能である。したがって、コネクタ４０の使用に必要な手順を簡略化できる。
【００３０】
また、インターホン子機１００では、光源３０は、カメラ１０とコネクタ４０との間に位置する。したがって、コネクタ４０に接続されるケーブル等によって光源３０からの光が遮られる可能性を低減できる。
【００３１】
また、インターホン子機１００では、一対の突出部２４，２５は、不透明である。これにより、一対の突出部２４，２５が、外光を遮る可能性がより高くなる。したがって、透明部材１２での反射に起因する悪影響をより低減できる。
【００３２】
また、インターホン子機１００では、一対の突出部２４，２５の各々は、前面が凸面状であり、最前端ｆ１，ｆ２が、所定方向において透明部材１２の中心Ｃ１と一直線上に位置する。これにより、一対の突出部２４，２５の少なくとも一方が透明部材１２よりも先に地面や床等にあたる可能性がより高くなる。そのため、透明部材１２の損傷の可能性をより低減できる。
【００３３】
また、インターホン子機１００では、一対の突出部２４，２５の各々は、所定方向に直交する面内において透明部材１２を隠す形状を有している。これにより、一対の突出部２４，２５の少なくとも一方が透明部材１２よりも先に地面や床等にあたる可能性がより高くなる。そのため、透明部材１２の損傷の可能性をより低減できる。
【００３４】
（実施形態２）
図３Ａ、図３Ｂ、及び図４は、実施形態２のインターホン子機１００Ａを示す。以下では、冗長な説明を避けるために、実施形態１と実施形態２とに共通する構成要素には、実施形態１の構成要素と同じ符号を付している。
【００３５】
インターホン子機１００Ａは、カメラ１０と、カメラ１０を収納する筐体２０Ａと、を備える。さらに、インターホン子機１００Ａは、光源３０と、コネクタ４０と、機能ブロック５０と、基板６０と、を備える。光源３０と、コネクタ４０と、機能ブロック５０とは、基板６０に実装され、基板６０と共に、筐体２０Ａに収納される。
【００３６】
筐体２０Ａは、図３Ａ、図３Ｂ，及び図４に示されるように、前壁２１Ａと、側壁２２と、後壁２３と、を有している。筐体２０Ａは、前壁２１Ａが筐体２０の前壁２１と異なっている点を除き、筐体２０と同じである。
【００３７】
前壁２１Ａは、図３Ａ及び図３Ｂに示されるように、カメラ１０、光源３０、コネクタ４０、機能ブロック５０、及び基板６０の前方に位置する。前壁２１Ａは、開口２１１と、音孔２１４（図４参照）と、釦孔２１５と、を有する。開口２１１と、音孔２１４と、釦孔２１５とは、前壁２１Ａの長さ方向（筐体２０Ａの長さ方向に等しい）の第１端（図３Ａにおける上端）から第２端（図３Ｂにおける下端）に向かって、この順に並んでいる。
【００３８】
筐体２０Ａは、さらに、図３Ａ、図３Ｂ、及び図４に示されるように、一対の突出部である第１突出部２４及び第２突出部２５Ａを有する。
【００３９】
第１突出部２４及び第２突出部２５Ａは、透明部材１２の光軸Ｐ１に交差する所定方向において互いに対向するように開口２１１の両側に位置する。本実施形態では、所定方向は、筐体２０Ａの長さ方向（図３Ａにおける上下方向）である。第１突出部２４は第２突出部２５Ａよりも筐体２０の長さ方向の一端側（図３Ａにおける上端側）にある。つまり、設置状態では、第１突出部２４は開口２１１（透明部材１２）の上にあり、第２突出部２５Ａは開口２１１（透明部材１２）の下にある。さらに、第１突出部２４及び第２突出部２５Ａは、それぞれの最前端ｆ１，ｆ２が所定方向において透明部材１２の中心Ｃ１（図３Ｂ参照）と一直線上に位置している。ただし、第１突出部２４及び第２突出部２５Ａは、カメラ１０の視野Ｖ１の外に位置している。
【００４０】
第２突出部２５Ａは、内部空間Ｓ２が筐体２０Ａの内部Ｓ１に繋がった突出部（中空突出部）である。第２突出部２５Ａは、外壁２５１と、内壁２５４と、を有する。
【００４１】
外壁２５１は、第２突出部２５Ａの外形を定める。つまり、以下の外壁２５１の説明に関しては、外壁２５１を第２突出部２５Ａと読み替えることができる。外壁２５１は、その最前端ｆ２が透明部材１２よりも前方に位置するように前壁２１Ａの前面２１０から前方に突出する。外壁２５１は、図３Ｂに示されるように、前面が凸面状（より詳細には凸曲面状）である。つまり、外壁２５１は、前壁２１Ａの幅方向における両端から中央に向かうにつれて、前壁２１Ａの前面２１０から前方により突出する。ここで、外壁２５１は、前面がどの部位においても、透明部材１２よりも前方に位置している。つまり、外壁２５１は、所定方向に直交する面内において透明部材１２を隠す形状を有している。また、外壁２５１は、前壁２１Ａの長さ方向における寸法が前壁２１Ａの幅方向における寸法よりも長い。さらに、外壁２５１は、図３Ａに示されるように、中空であり、その内部空間Ｓ２が筐体２０Ａの内部Ｓ１に繋がっている。
【００４２】
外壁２５１は、窓２５２と、接続孔２５３と、を有する。窓２５２は、窓２１２と同様に光源３０からの光を通す孔である。接続孔２５３は、接続孔２１３と同様にコネクタ４０を露出させる孔である。窓２５２は、接続孔２５３よりも開口２１１側に位置する。
【００４３】
内壁２５４は、外壁２５１の後面から後方に突出している。内壁２５４は、窓２５２と接続孔２５３との間に位置している。内壁２５４は、光源３０からの光が接続孔２５３から筐体２０Ａの外部に漏れる可能性を低減するために設けられている。
【００４４】
第１突出部２４及び第２突出部２５Ａは、前壁２１Ａと一体に形成されている。第１突出部２４及び第２突出部２５Ａも前壁２１Ａと同様に不透明である。
【００４５】
筐体２０Ａは、さらに、カバー２６Ａと、蓋２７Ａと、釦２８と、を有する。カバー２６Ａは、窓２５２を覆うように窓２５２内に配置される。カバー２６Ａは、円弧形の板状であり、その前面が、第２突出部２５Ａの前面と面一となる。カバー２６Ａは、光源３０からの光を通す性質を有している。蓋２７Ａは、接続孔２５３を覆うように第２突出部２５Ａに取り付けられる。蓋２７Ａは、円弧形の板状であり、その前面が、第２突出部２５Ａの前面と面一となる。蓋２７Ａは、例えば、不透明であり、コネクタ４０を隠す。また、蓋２７Ａは、取り外し可能である。つまり、蓋２７Ａは、取り外し可能に第２突出部２５Ａに取り付けられている。
【００４６】
以上説明したインターホン子機１００Ａは、インターホン子機１００と同様に、レンズを含む透明部材１２を有するカメラ１０と、カメラ１０を収納する筐体２０Ａと、を備える。筐体２０Ａは、前壁２１Ａと、一対の突出部２４，２５Ａと、を有する。前壁２１Ａは、カメラ１０の前方に位置し、透明部材１２を前方に突出させる開口２１１を有する。一対の突出部２４，２５Ａは、それぞれの最前端ｆ１，ｆ２が透明部材１２よりも前方に位置するように前壁２１Ａの前面２１０から前方に突出する。一対の突出部２４，２５Ａは、レンズの光軸Ｐ１に交差する所定方向において互いに対向するように開口２１１の両側に位置する。したがって、インターホン子機１００Ａは、透明部材（１２）の損傷の可能性及び透明部材（１２）での反射に起因する悪影響を低減できる。
【００４７】
また、インターホン子機１００Ａは、筐体２０Ａに収納された光源３０をさらに備える。一対の突出部２４，２５Ａの一方は、内部空間Ｓ２が筐体２０Ａの内部Ｓ１に繋がった中空突出部である。中空突出部は、光源３０からの光を通す窓２５２を有する。これによれば、中空突出部によって比較的広い空間が確保されるから、光源３０が大きい場合であっても、筐体２０Ａ全体を厚くしなくて済む。そのため、筐体２０Ａ全体を厚くしなくても筐体２０Ａに光源３０を収納できる。
【００４８】
また、インターホン子機１００Ａは、筐体２０Ａ内に収納され、筐体２０Ａの外部の電気回路との接続に使用されるコネクタ４０をさらに備える。一対の突出部２４，２５Ａの一方は、内部空間Ｓ２が筐体２０Ａの内部Ｓ１に繋がった中空突出部である。中空突出部は、コネクタ４０を露出させる接続孔２５３をさらに有する。これによれば、中空突出部によって比較的広い空間が確保されるから、コネクタ４０が大きい場合であっても、筐体２０Ａ全体を厚くしなくて済む。そのため、筐体２０Ａ全体を厚くしなくても筐体２０Ａにコネクタ４０を収納できる。
【００４９】
また、インターホン子機１００Ａは、光源３０とコネクタ４０とを備える。ここで、光源３０は、カメラ１０とコネクタ４０との間に位置する。したがって、コネクタ４０に接続されるケーブル等によって光源３０からの光が遮られる可能性を低減できる。
【００５０】
また、インターホン子機１００Ａは、インターホン子機１００と同様に、以下の構成を有する。つまり、一対の突出部２４，２５Ａは、カメラ１０の視野Ｖ１の外に位置する。筐体２０Ａは、接続孔２５３を覆う蓋２７Ａをさらに備える。蓋２７Ａは、取り外し可能である。一対の突出部２４，２５Ａは、不透明である。一対の突出部２４，２５Ａの各々は、前面が凸面状であり、最前端ｆ１，ｆ２が、所定方向において透明部材１２の中心Ｃ１と一直線上に位置する。一対の突出部２４，２５Ａの各々は、所定方向に直交する面内において透明部材１２を隠す形状を有している。
【００５１】
（別の実施形態）
本発明の実施形態は、実施形態１，２だけではなく、例えば、以下のような別の実施形態も含む。つまり、本発明の実施形態は、それらの目的を達成できる程度において、変形されてもよい。
【００５２】
例えば、別の実施形態では、透明部材（１２）は、単一の部品、つまり、レンズそのものではなく、複数の部品を備えていてもよい。例えば、透明部材（１２）は、１以上のレンズと、１以上のレンズの前方に配置される透明な保護カバーと、を備えていてもよい。この場合、透明部材（１２）の複数の部品のうち最も前にある部品に基づいて、一対の突出部（２４，２５；２５Ａ）の最前端（ｆ１，ｆ２）が透明部材（１２）より前かどうかが考慮される。
【００５３】
別の実施形態では、透明部材（１２）のレンズは、両凸球面レンズであってもよい。透明部材（１２）は、画角が大きいレンズ、いわゆる広角レンズであることが好ましい。
【００５４】
別の実施形態では、透明部材（１２）は、本体（１１）ではなく筐体（２０；２０Ａ）に固定されていてもよい。また、透明部材（１２）が、複数の部品（例えばレンズ及び保護カバー）を備えている場合、複数の部品の一部（例えばレンズ）が本体（１１）に固定され、複数の部品の残り（例えば保護カバー）が筐体（２０；２０Ａ）に固定されていてもよい。つまり、透明部材（１２）は、本体（１１）に対して所定位置にあればよい。
【００５５】
また、別の実施形態では、筐体（２０；２０Ａ）は、矩形以外の形（例えば、円形、多角形、正方形）の箱状であってもよい。また、筐体（２０；２０Ａ）は、内部（Ｓ１）に、カメラ（１０）を収納できるように、少なくとも二つに分離可能であればよい。
【００５６】
また、別の実施形態では、筐体（２０；２０Ａ）は、透明又は半透明であってもよい。ただし、前壁（２０；２０Ａ）の開口（２１１）周辺は、カメラ（１０）に不要な光が入射しないように、不透明であることが好ましい。
【００５７】
また、別の実施形態では、第１突出部（２４）及び第２突出部（２５；２５Ａ）の少なくとも一方は、透明又は半透明であってもよい。この場合でも、不要な光が透明部材（１２）に直接入射する可能性が低減されるから、反射に起因する悪影響を低減できる。ただし、第１突出部（２４）及び第２突出部（２５；２５Ａ）は、両方とも、不透明であることが好ましい。
【００５８】
また、別の実施形態では、第１突出部（２４）及び第２突出部（２５；２５Ａ）の少なくとも一方は、前面が、凸面状以外の形状（例えば、平面状、凹面状）であってもよい。この場合でも、不要な光が透明部材（１２）に直接入射する可能性が低減されるから、反射に起因する悪影響を低減できる。
【００５９】
また、別の実施形態では、筐体（２０；２０Ａ）は、カバー（２６；２６Ａ）と、蓋（２７；２７Ａ）と、釦（２８）と、有していなくてもよい。
【００６０】
また、別の実施形態では、開口（２１１）と、窓（２１２；２５２）と、接続孔（２１３；２５３）と、音孔（２１４）と、釦孔（２１５）と、は実施形態１，２と異なる形状であってもよい。要するに、これらの機能が実現できればよい。
【００６１】
また、別の実施形態では、蓋（２７；２７Ａ）は、接続孔（２１３；２５３）を覆う閉位置と接続孔（２１３；２５３）を覆わない開位置との間で移動可能であってもよい。例えば、蓋（２７；２７Ａ）は、ヒンジ機構やスライド機構などによって、閉位置と開位置との間で移動可能であってもよい。
【００６２】
また、別の実施形態では、光源（３０）は、赤外線光源を備えていても良く、また、白色光源と赤外線光源との両方を備えていてもよい。
【００６３】
また、別の実施形態では、窓（２１２）は、開口（２１１）よりも、前壁（２１）の長さ方向の一端（上端）側に位置してもよい。この場合、第１突出部（２４）が開口（２１１）と窓（２１２）との間に位置することが好ましい。さらにこの場合において、第２突出部（２５）が中空突出部であってもよく、接続孔（２５３）を有していてもよい。
【００６４】
また、別の実施形態では、第１突出部（２４）が中空突出部であってもよい。この場合、第１突出部（２４）は、必要に応じて、窓（２５２）と接続孔（２５３）との少なくとも一方を有していてもよい。
【００６５】
また、別の実施形態では、インターホン子機（１００；１００Ａ）は、光源（３０）と、コネクタ（４０）と、基板（６０）との少なくとも一つを備えていなくてもよい。
【００６６】
（本発明の態様）
以上の実施形態から明らかなように、第１の態様のインターホン子機（１００；１００Ａ）は、レンズを含む透明部材（１２）を有するカメラ（１０）と、前記カメラ（１０）を収納する筐体（２０；２０Ａ）と、を備える。前記筐体（２０；２０Ａ）は、前壁（２１；２１Ａ）と、一対の突出部（２４，２５；２５Ａ）と、を有する。前壁（２１；２１Ａ）は、前記カメラ（１０）の前方に位置し、前記透明部材（１２）を前方に突出させる開口（２１１）を有する。一対の突出部（２４，２５；２５Ａ）は、それぞれの最前端（ｆ１，ｆ２）が前記透明部材（１２）よりも前方に位置するように前記前壁（２１；２１Ａ）の前面から前方に突出する。一対の突出部（２４，２５；２５Ａ）は、前記レンズの光軸に交差する所定方向において互いに対向するように前記開口（２１１）の両側に位置する。第１の態様によれば、透明部材（１２）の損傷の可能性及び透明部材（１２）での反射に起因する悪影響を低減できる。
【００６７】
第２の態様のインターホン子機（１００；１００Ａ）は、第１の態様との組み合わせにより実現される。第２の態様では、前記一対の突出部（２４，２５；２５Ａ）は、前記カメラ（１０）の視野（Ｖ１）の外に位置する。第２の態様によれば、一対の突出部（２４，２５；２５Ａ）がカメラ（１０）の映像に写り込むことを抑制できる。
【００６８】
第３の態様のインターホン子機（１００；１００Ａ）は、第１又は第２の態様との組み合わせにより実現される。第３の態様は、前記筐体（２０；２０Ａ）に収納された光源（３０）をさらに備える。前記前壁（２１；２１Ａ）は、前記光源（３０）からの光を通す窓（２１２；２５２）をさらに有する。前記一対の突出部（２４，２５；２５Ａ）の一方は、前記開口（２１１）と前記窓（２１２；２５２）との間に位置する。第３の態様によれば、光源（３０）からの光が透明部材（１２）に入射することを抑制できる。
【００６９】
第４の態様のインターホン子機（１００Ａ）は、第１又は第２の態様との組み合わせにより実現される。第４の態様は、前記筐体（２０Ａ）に収納された光源（３０）をさらに備える。前記一対の突出部（２４，２５Ａ）の一方は、内部空間（Ｓ２）が前記筐体（２０Ａ）の内部（Ｓ１）に繋がった中空突出部である。前記中空突出部は、前記光源（３０）からの光を通す窓（２５２）を有する。第４の態様によれば、筐体（２０Ａ）全体を厚くしなくても筐体（２０Ａ）に光源（３０）を収納できる。
【００７０】
第５の態様のインターホン子機（１００Ａ）は、第１又は第２の態様との組み合わせにより実現される。第５の態様は、前記筐体（２０Ａ）内に収納され、前記筐体（２０Ａ）の外部の電気回路との接続に使用されるコネクタ（４０）をさらに備える。前記一対の突出部（２４，２５；２５Ａ）の一方は、内部空間（Ｓ２）が前記筐体（２０Ａ）の内部（Ｓ１）に繋がった中空突出部である。前記中空突出部は、前記コネクタ（４０）を露出させる接続孔（２５３）をさらに有する。第５の態様によれば、筐体（２０Ａ）全体を厚くしなくても筐体（２０Ａ）にコネクタ（４０）を収納できる。
【００７１】
第６の態様のインターホン子機（１００Ａ）は、第５の態様との組み合わせにより実現される。第６の態様では、筐体（２０Ａ）は、前記接続孔（２５３）を覆う蓋（２７Ａ）をさらに備える。第６の態様によれば、コネクタ（４０）を保護できる。
【００７２】
第７の態様のインターホン子機（１００Ａ）は、第６の態様との組み合わせにより実現される。第７の態様では、前記蓋（２７Ａ）は、前記接続孔（２５３）を覆う閉位置と前記接続孔（２５３）を覆わない開位置との間で移動可能である。第７の態様によれば、コネクタ（４０）の使用に必要な手順を簡略化できる。
【００７３】
第８の態様のインターホン子機（１００Ａ）は、第６の態様との組み合わせにより実現される。第８の態様では、前記蓋（２７Ａ）は、取り外し可能である。第８の態様によれば、コネクタ（４０）の使用に必要な手順を簡略化できる。
【００７４】
第９の態様のインターホン子機（１００Ａ）は、第５〜第８の態様のいずれか一つとの組み合わせにより実現される。第９の態様は、前記筐体（２０Ａ）に収納された光源（３０）をさらに備える。前記中空突出部（２５Ａ）は、前記光源（３０）からの光を通す窓（２５２）を有する。第９の態様によれば、筐体（２０Ａ）全体を厚くしなくても筐体（２０Ａ）に光源（３０）を収納できる。
【００７５】
第１０の態様のインターホン子機（１００Ａ）は、第９の態様との組み合わせにより実現される。第１０の態様では、前記光源（３０）は、前記カメラ（１０）と前記コネクタ（４０）との間に位置する。第１０の態様によれば、コネクタ（４０）に接続されるケーブル等によって光源（３０）からの光が遮られる可能性を低減できる。
【００７６】
第１１の態様のインターホン子機（１００；１００Ａ）は、第１〜第１０の態様のいずれか一つとの組み合わせにより実現される。第１１の態様では、前記一対の突出部（２４，２５；２５Ａ）は、不透明である。第１１の態様によれば、透明部材（１２）での反射に起因する悪影響をより低減できる。
【００７７】
第１２の態様のインターホン子機（１００；１００Ａ）は、第１〜第１１の態様のいずれか一つとの組み合わせにより実現される。第１２の態様では、前記一対の突出部（２４，２５；２５Ａ）の各々は、前面が凸面状であり、前記最前端（ｆ１，ｆ２）が、前記所定方向において前記透明部材（１２）の中心（Ｃ１）と一直線上に位置する。第１２の態様によれば、透明部材（１２）の損傷の可能性をより低減できる。
【００７８】
第１３の態様のインターホン子機（１００；１００Ａ）は、第１〜第１２の態様のいずれか一つとの組み合わせにより実現される。第１３の態様では、前記一対の突出部（２４，２５；２５Ａ）の各々は、前記所定方向に直交する面内において前記透明部材（１２）を隠す形状を有している。第１３の態様によれば、透明部材（１２）の損傷の可能性をより低減できる。
【符号の説明】
【００７９】
１００，１００Ａ  インターホン子機
１０  カメラ
１１  本体
１２  透明部材
Ｐ１  光軸
Ｖ１  視野
Ｃ１  中心
２０，２０Ａ  筐体
Ｓ１  内部
２１，２１Ａ  前壁
２１０  前面
２１１  開口
２１２  窓
２１３  接続孔
２１４  音孔
２１５  釦孔
２２  側壁
２３  後壁
２４  第１突出部
ｆ１  最前端
２５，２５Ａ  第２突出部
２５１  外壁
２５２  窓
２５３  接続孔
２５４  内壁
ｆ２  最前端
Ｓ２  内部空間
２６，２６Ａ  カバー
２７，２７Ａ  蓋
２８  釦
３０  光源
４０  コネクタ
５０  機能ブロック
６０  基板
【図１】
0006793322.tif 000002
【図２】
0006793322.tif 000003
【図３】
0006793322.tif 000004
【図４】
0006793322.tif 000005